(57)【要約】【課題】カセッテが未送信の放射線画像データを有する状態で放置されることを防止し、放射線画像データの消失のリスクを低減させる。【解決手段】カセッテの識別情報が該カセッテを用いて行う撮影オーダ情報に対応付けられて情報記憶部に登録された登録時刻と、その登録されたカセッテの識別情報とを取得する登録情報取得手段と、カセッテに記録された医用画像を読み取る読取手段により医用画像が読み取られたカセッテの識別情報を取得する読取情報取得手段と、登録情報取得手段により取得した前記登録時刻およびカセッテの識別情報と、読取情報取得手段により取得したカセッテの識別情報とに基づいて、その登録時刻から一定時間以内に、該登録されたカセッテが読取手段において読み取られたか否かを判断する判断手段と、判断手段において読み取られていないと判断された場合、警告を出力する警告手段とを備えたカセッテ管理装置を提供する。【選択図】図４
2010099364.tif 000002
【特許請求の範囲】
【請求項１】
カセッテを管理するカセッテ管理装置であって、
カセッテの識別情報が該カセッテを用いて行う撮影オーダ情報に対応付けられて情報記憶部に登録された登録時刻と、該登録されたカセッテの識別情報とを取得する登録情報取得手段と、
カセッテに記録された医用画像を読み取る読取手段により医用画像が読み取られたカセッテの識別情報を取得する読取情報取得手段と、
前記登録情報取得手段により取得した前記登録時刻およびカセッテの識別情報と、前記読取情報取得手段により取得したカセッテの識別情報とに基づいて、前記登録時刻から一定時間以内に、該登録されたカセッテが前記読取手段において読み取られたか否かを判断する判断手段と、
前記判断手段において読み取られていないと判断された場合、警告を出力する警告手段と
を備えたことを特徴とするカセッテ管理装置。
【請求項２】
カセッテを管理するカセッテ管理方法であって、
カセッテの識別情報が該カセッテを用いて行う撮影オーダ情報に対応付けられて情報記憶部に登録された登録時刻と、該登録されたカセッテの識別情報とを取得し、
カセッテに記録された医用画像を読み取る読取手段により医用画像が読み取られたカセッテの識別情報を取得し、
前記取得した前記登録時刻およびカセッテの識別情報と、前記取得したカセッテの識別情報とに基づいて、前記登録時刻から一定時間以内に、該登録されたカセッテが前記読取手段において読み取られたか否かを判断し、
読み取られていないと判断された場合、警告を出力する
ことを特徴とするカセッテ管理方法。
【発明の詳細な説明】
【技術分野】
【０００１】
本発明は、放射線画像の撮影に用いられるカセッテを管理するカセッテ管理装置および方法に関するものである。
【背景技術】
【０００２】
従来、医療分野においては、輝尽性蛍光体シートを収容した持ち運び可能なカセッテを用いる放射線画像撮影システムが知られている。このシステムは、カセッテを用いて被写体の放射線画像を撮影する撮影装置と、カセッテから医用画像を読み取る読取装置と、このシステムにおける放射線撮影の運用を管理するコンソールとを備えて構成されている。
【０００３】
このシステムでは、撮影前の準備段階で、撮影技師が、撮影オーダ情報（被写体となる患者の氏名、性別等の患者情報や、撮影部位、撮影方向等の撮影条件情報を含む）と、その撮影に用いるカセッテのIDとを対応付けてコンソールに登録する作業（カセッテ登録）を行う。撮影の際には、撮影技師が、登録したカセッテを撮影装置のある場所（撮影室等）に運搬し、登録したカセッテを用いて撮影を行う。撮影装置では、放射線が照射され放射線画像がカセッテに記録される。その後、撮影技師は、カセッテを読取装置に装着する。読取装置では、カセッテから放射線画像のデータとカセッテIDの読み取りが行われる。
【０００４】
特許文献１では、カセッテが放射線撮影により得られた放射線画像データをコンソールに送信するシステムにおいて、コンソールの制御部がコンソール電源の停止前に、コンソールに未送信の画像データを有するカセッテの存在の有無を判断し、存在しないと判断した場合にのみ、コンソール電源を停止させることにより、カセッテに未送信の放射線画像データが存在する状態でコンソールの電源を停止されることを防止し、カセッテの画像データが未確認の状態で長時間放置されることを防止することが提案されている。
【特許文献１】特開２００６−２６３３２０号公報
【発明の開示】
【発明が解決しようとする課題】
【０００５】
しかしながら、上記特許文献１では、コンソールの電源を停止する場合にのみ、未送信の画像データを有するカセッテの存在の有無が判断されるので、コンソールの電源を停止しない場合には、カセッテが未送信の放射線画像データを有する状態で放置される場合が生じる可能性がある。
【０００６】
また、長時間放置されている間に放射線画像データが消失するリスクが高くなり、消失した場合には、本来不要な再撮影を行うことが必要となる。
【０００７】
本発明は、上記事情に鑑み、放射線画像データの消失のリスクを低減できるカセッテ管理装置および方法を提供することを目的とするものである。
【課題を解決するための手段】
【０００８】
本発明のカセッテ管理装置は、カセッテの識別情報が該カセッテを用いて行う撮影オーダ情報に対応付けられて情報記憶部に登録された登録時刻と、その登録されたカセッテの識別情報とを取得する登録情報取得手段と、カセッテに記録された医用画像を読み取る読取手段により医用画像が読み取られたカセッテの識別情報を取得する読取情報取得手段と、登録情報取得手段により取得した前記登録時刻およびカセッテの識別情報と、読取情報取得手段により取得したカセッテの識別情報とに基づいて、その登録時刻から一定時間以内に、該登録されたカセッテが読取手段において読み取られたか否かを判断する判断手段と、判断手段において読み取られていないと判断された場合、警告を出力する警告手段と  を備えたことを特徴とするものである。
【０００９】
本発明のカセッテ管理方法は、カセッテの識別情報が該カセッテを用いて行う撮影オーダ情報に対応付けられて情報記憶部に登録された登録時刻と、該登録されたカセッテの識別情報とを取得し、カセッテに記録された医用画像を読み取る読取手段により医用画像が読み取られたカセッテの識別情報を取得し、取得した登録時刻およびカセッテの識別情報と、取得したカセッテの識別情報とに基づいて、その登録時刻から一定時間以内に、該登録されたカセッテが前記読取手段において読み取られたか否かを判断し、読み取られていないと判断された場合、警告を出力することを特徴とするものである。
【発明の効果】
【００１０】
本発明のカセッテ管理装置および方法によれば、カセッテの識別情報が該カセッテを用いて行う撮影オーダ情報に対応付けられて情報記憶部に登録された登録時刻と、該登録されたカセッテの識別情報とを取得し、カセッテに記録された医用画像を読み取る読取手段により医用画像が読み取られたカセッテの識別情報を取得し、取得した登録時刻およびカセッテの識別情報と、取得したカセッテの識別情報とに基づいて、その登録時刻から一定時間以内に、該登録されたカセッテが前記読取手段において読み取られたか否かを判断し、読み取られていないと判断された場合、警告を出力するようにしているので、カセッテが未送信の放射線画像データを有する状態で放置されることを防止でき、放射線画像データの消失のリスクを低減できる。
【発明を実施するための最良の形態】
【００１１】
以下、図面を参照して、本発明の一実施の形態について説明する。図１は、放射線画像撮影システム１の概要を示すブロック図であり、図２は、このシステムに用いられるカセッテ６の概要を示すブロック図である。
【００１２】
図１に示すように、放射線画像撮影システム１は、放射線画像の撮影に使用するカセッテ６を特定する携帯情報端末２と、特定されたカセッテ６を用いて放射線撮影を行い、カセッテ６に放射線画像を記録する放射線画像撮影装置３と、カセッテ６に記録された放射線画像を読み取る放射線画像読取装置４と、カセッテ６を管理するカセッテ管理装置５とが、ネットワーク９を経由して通信可能な状態で接続されている。
【００１３】
ここでカセッテ６は、被写体を透過した放射線を検出する放射線検出器40と、カセッテ６の電源であるバッテリ44と、バッテリ44から供給される電力により放射線検出器40を駆動制御するカセッテ制御部46と、このカセッテ６が放射線画像読取装置４に装填されたときに、放射線検出器40によって検出された放射線画像等を放射線画像読取装置４との間で送受信するための送受信機48等を備える。
【００１４】
図３は、放射線検出器40の回路構成ブロック図である。放射線検出器40は、放射線を感知して電荷を発生させるアモルファスセレン（a−Se）等の物質からなる光電変換層53を行列状の薄膜トランジスタ（TFT：Thin Film Transistor）54のアレイの上に配置した構造を有し、発生した電荷を蓄積容量55に蓄積した後、各行毎にTFT54を順次オンにして、電荷を画像信号として読み出す。図３では、光電変換層53及び蓄積容量55からなる１つの画素52と１つのTFT54との接続関係のみを示し、その他の画素52の構成については省略している。
【００１５】
各画素52に接続されるTFT54には、行方向と平行に延びるゲート線56と、列方向と平行に延びる信号線74とが接続される。各ゲート線56は、ライン走査駆動部60に接続され、各信号線74は、読取回路を構成するマルチプレクサ68に接続される。ゲート線56には、行方向に配列されたTFT54をオンオフ制御する制御信号Ｖon、Ｖoffがライン走査駆動部60から供給される。この場合、ライン走査駆動部60は、ゲート線56を切り替える複数のスイッチSW１と、スイッチSW１の１つを選択する選択信号を出力するアドレスデコーダ62とを備える。アドレスデコーダ62には、カセッテ制御部46からアドレス信号が供給される。また、信号線74には、列方向に配列されたTFT54を介して各画素52の蓄積容量55に保持されている電荷が流出する。この電荷は、増幅器64によって増幅される。増幅器64には、サンプルホールド回路66を介してマルチプレクサ68が接続される。マルチプレクサ68は、信号線58を切り替える複数のスイッチSW２と、スイッチSW２の１つを選択する選択信号を出力するアドレスデコーダ70とを備える。アドレスデコーダ70には、カセッテ制御部46からアドレス信号が供給される。マルチプレクサ68には、A／D変換器72が接続され、A／D変換器72によってデジタル信号に変換された放射線画像情報がカセッテ制御部46に供給される。
【００１６】
カセッテ制御部46は、放射線検出器40を構成するライン走査駆動部60のアドレスデコーダ62及びマルチプレクサ68のアドレスデコーダ70に対してアドレス信号を供給するアドレス信号発生部82と、放射線検出器40によって検出された放射線画像情報を記憶する画像メモリ84と、当該カセッテ６を特定するためのカセッテID情報（識別情報）を記憶するカセッテIDメモリ86とを備える。
【００１７】
送受信機48は、放射線画像読取装置４から送信要求信号を受信する一方、放射線画像読取装置４に対して、カセッテIDメモリ86に記憶されたカセッテID情報、画像メモリ84に記憶された放射線画像情報を送信するものである。
【００１８】
携帯情報端末２は、放射線画像撮影装置３にカセッテ６をセットして放射線撮影を実施させたり、放射線画像読取装置４に撮影済みのカセッテ６をセットして放射線画像の読取りを実施させる等の業務に携わる放射線技師や医者等のユーザが携帯する情報端末であって、医師からの依頼により配信された、撮影対象の患者情報や撮影部位、撮影方法等の撮影情報を含む撮影オーダ情報等を記憶する情報記憶部11と、ユーザによる各種指示の入力を可能とする入力部12と、入力部12を介して入力されたユーザの指示に応じて、情報記憶部11に記憶されている各撮影オーダ情報にその撮影オーダの撮影に用いるカセッテ６のIDを対応付けて情報記憶部11に記憶させる（以下、ID登録を行うという）ID登録部13と、そのID登録が行われたカセッテ６のID情報およびその登録時刻をカセッテ管理装置５に送信するとともに、カセッテ管理装置５から読み取り忘れていると判断されたカセッテ６のID情報を受信する送受信機14と、携帯情報端末２の本体に設けられているモニター等であって、ID登録部13による登録情報や、カセッテ６の読み取り忘れを知らせる警告を表示する表示部15と、図示しないスピーカーなどを備えている。
【００１９】
ID登録部13は、例えば、情報記憶部11に記憶されている撮影オーダ情報のリストを表示部15に表示させ、表示されている撮影オーダ情報毎に、ユーザがその撮影オーダ情報に対応させてカセッテ６のID情報を入力すると、入力されたカセッテ６のID情報とそのID情報が入力された撮影オーダ情報とを対応付けて情報記憶部11に記憶させることによりID登録を行う。
【００２０】
放射線画像撮影装置３は、例えばＸ線撮影装置であって、カセッテ６が装填される撮影台、被写体に対してＸ線を照射するＸ線源等を備え、ID登録が行われたカセッテ６を撮影台に装填させ、そのカセッテ６に対応付けて登録されている撮影オーダ情報により自動設定された撮影条件に応じて、被写体を透過したＸ線をカセッテ６に照射して、カセッテ６の画像メモリ84に被写体の放射線画像を記録する。
【００２１】
放射線画像読取装置４は、カセッテ６が装填されるカセッテ装填部と、装填されたカセッテ６のカセッテIDメモリ86からカセッテID情報を読取るID情報読取部と、カセッテ６の画像メモリ84から放射線画像を読み取る画像読取部と、画像読取部により放射線画像の読取りが行われると直ちに、その放射線画像が読取られたカセッテ６のID情報をカセッテ管理装置５に送信する送受信機等を備えている。
【００２２】
カセッテ管理装置５は、携帯情報端末２からID登録が行われたカセッテ６のID情報およびその登録時刻を受信するとともに、放射線画像読取装置４からその読み取り装置により放射線画像が読み取られたカセッテ６のID情報を受信する送受信機21（登録情報取得手段、読取情報取得手段）と、各ID登録されたカセッテが、その登録時刻から一定時間td以内に、放射線画像読取装置４において読み取られたか否かを判断する判断部22と、判断部22において読み取られていないと判断された場合に、警告を出力する警告出力部23とを備えている。
【００２３】
判断部22による判断処理は、具体的には、携帯情報端末２から受信した各カセッテのID情報とその登録時刻、および放射線画像読取装置４から受信したカセッテのID情報に基づいて、携帯情報端末２から受信した各カセッテのID情報と一致するカセッテのID情報が、そのID登録時刻から一定時間td以内に、放射線画像読取装置４から受信されたか否かを判断することにより行われる。ここで、一定時間tdは、例えば５分等、ユーザが任意に設定出来る時間である。
【００２４】
警告出力部23は、上記判断部22においてID登録されたカセッテが、その登録時刻から一定時間td以内に、放射線画像読取装置４において読み取られていないと判断された場合に、放射線画像読取装置４に撮影済みのカセッテをセットして放射線画像の読取りを実施させる業務に携わる放射線技師や医者等のユーザに、その読み取られていないと判断されたカセッテを知らせることを実現できる形で警告を出力するものであって、例えば、その読み取られていないと判断されたカセッテを特定する情報（たとえばID情報）をカセッテ管理装置５に設けられている表示部に表示させたり、そのユーザが携帯情報端末２を常時携帯している場合には、その情報を携帯情報端末２に送信して、携帯情報端末２の表示部15に表示させるとともに、携帯情報端末２に設けられているスピーカーに警告音を出力させたりして、ユーザにカセッテの読み取り忘れを知らせる。
【００２５】
なお、カセッテ管理装置５は、上記判断部22においてID登録されたカセッテが、その登録時刻から一定時間td以内に、放射線画像読取装置４において読み取られていないと判断された場合に、放射線画像撮影装置３におけるＸ線の曝射を一時的に禁止する等、放射線画像の撮影を制限する制御部をさらに備えたものであってもよい。
【００２６】
次いで、図４のフローチャートを参照して、カセッテ管理装置５において行われる処理の一例について説明する。
【００２７】
まず、送受信機21が、携帯情報端末２からID登録が行われたカセッテのID情報およびその登録時刻t1を受信する（ステップST31）。次に、判断部22が、受信した登録時刻t1から一定時間tdが経過したか否かを判断する（ステップST32）。一定時間tdが経過していない場合には、送受信機21において放射線画像読取装置４から読取済みのカセッテのID情報が受信されたかどうかをさらに判断し（ステップST33）、読取済みのカセッテのID情報が受信されていない場合には、引き続きステップST32以降の処理を行う。一方、読取済みのカセッテのID情報が受信された場合には、その受信された読取済みのカセッテのID情報がステップ31において受信した登録済みのカセッテのID情報と一致しているかどうかを判断し（ステップST34）、一致しないと判断された場合には、引き続きステップST32以降の処理が行うが、一致すると判断された場合には、ステップ31においてID情報を受信した登録済みのカセッテが、その登録時刻t1から一定時間tdが経過する前に、放射線画像読取装置４において読み取られていると判断し、処理を終了する。
【００２８】
一方、ステップST32において、一定時間tdが経過している場合には、警告出力部23が、ステップ31において受信した登録済みのカセッテのID情報を携帯情報端末２に送信して、ユーザに、読み取られていないと判断されたカセッテを知らせる警告を出力し（ステップST35）、処理を終了する。
【００２９】
なお、上記実施の形態では、ID登録部およびID登録の内容が記憶される情報記憶部がいずれも携帯情報端末２に一体的に設けられている場合について説明したが、そのいずれか一方または両方は、放射線画像撮影装置３、カセッテ管理装置５、放射線画像撮影システム１における放射線撮影の運用を管理するコンソール等に一体的に設けられているものであってもよい。
【００３０】
なお、上記実施の形態では、警告出力部23がカセッテ管理装置５に一体的に構成された場合について説明したが、警告出力部23は、カセッテ管理装置５の外部に別途のユニットとして設けられたものであってもよいし、ネットワークを介して接続されている複数の放射線画像撮影システムを一元的に管理する管理サーバに一体的に設けられたものであってもよい。
【図面の簡単な説明】
【００３１】
【図１】本発明の一実施の形態である放射線画像撮影システムの概要を示すブロック図
【図２】カセッテの概要を示すブロック図
【図３】放射線検出器の回路構成ブロック図
【図４】カセッテ管理装置において行われる処理の一例を示すフローチャート
【符号の説明】
【００３２】
１      放射線画像撮影システム
２      携帯情報端末
３      放射線画像撮影装置
４      放射線画像読取装置
５      カセッテ管理装置
６      カセッテ
11      情報記憶部
12      入力部
13      ID登録部
15      表示部
21      送受信機
22      判断部
23      警告出力部
40      放射線検出器
【図１】
2010099364.tif 000003
【図２】
2010099364.tif 000004
【図３】
2010099364.tif 000005
【図４】
2010099364.tif 000006